(57)【要約】  本発明は、化粧料が収容される容器本体と前記容器本体を開閉するオーバーキャップからなる化粧品容器であって、前記容器本体の入口部に第１吐出口が形成されたショルダーを結合し、前記オーバーキャップによって水平に収縮される作動部材と、前記作動部材によって垂直に移動されながらショルダーの第１吐出口を開閉する開閉部材を形成することで、オーバーキャップを閉めると前記オーバーキャップの内周面が作動部材をショルダー内方に押し、これと同時に前記作動部材が開閉部材を下側に押して前記開閉部材がショルダーの第１吐出口を自動で閉鎖させることによって、容器本体が容易に密閉されることはもとより、開閉部材の弾発力が作動部材を通じて水平に作用するようになり外部衝撃によってオーバーキャップが容易に分離されることを防止した、オーバーキャップによって吐出口が自動で開閉される化粧品容器に関する。
2021502166.tif 000002
【特許請求の範囲】
【請求項１】
内部に化粧料が収容される容器本体と、
前記容器本体を開閉するオーバーキャップと、
前記容器本体に結合され、第１吐出口が形成されたショルダーと、
前記オーバーキャップによって水平に収縮される作動部材と、
前記作動部材によって垂直に移動されながらショルダーの第１吐出口を開閉する開閉部材と、
前記開閉部材を弾力支持する弾性部材と、
を含むオーバーキャップによって吐出口が自動で開閉される化粧品容器。
【請求項２】
前記オーバーキャップは、内側オーバーキャップと外側オーバーキャップから構成され、オーバーキャップを閉める時、前記内側オーバーキャップに形成された傾斜部が作動部材をショルダー内方に押して容器本体を密閉させることを特徴とする、請求項１に記載のオーバーキャップによって吐出口が自動で開閉される化粧品容器。
【請求項３】
前記ショルダーには第２吐出口が形成された化粧道具が結合され、前記化粧道具の第２吐出口は、ショルダーの第１吐出口と連結されることを特徴とする、請求項１に記載のオーバーキャップによって吐出口が自動で開閉される化粧品容器。
【請求項４】
前記ショルダーは、容器本体の入口部に結合される内側ショルダーと前記内側ショルダーの上部に結合される外側ショルダーから構成され、前記外側ショルダーの外周縁には押部貫通孔が形成されることを特徴とする、請求項１に記載のオーバーキャップによって吐出口が自動で開閉される化粧品容器。
【請求項５】
前記作動部材は、両側に形成された水平押部と前記水平押部を外側に弾力支持する弾力支持部からなることを特徴とする、請求項１に記載のオーバーキャップによって吐出口が自動で開閉される化粧品容器。
【請求項６】
前記開閉部材は、中央に形成された開閉部と前記開閉部外側に形成されて作動部材によって垂直に押される垂直押部からなることを特徴とする、請求項１に記載のオーバーキャップによって吐出口が自動で開閉される化粧品容器。
【請求項７】
前記作動部材には第１傾斜部が形成され、前記開閉部材には傾斜溝が備えられた第２傾斜部が形成されて前記作動部材の第１傾斜部が開閉部材の傾斜溝に着座されることを特徴とする、請求項１に記載のオーバーキャップによって吐出口が自動で開閉される化粧品容器。
【請求項８】
前記オーバーキャップを閉めるとオーバーキャップの内周面が作動部材をショルダー内側に押すようになると同時に、前記作動部材が開閉部材を下側に押して前記開閉部材がショルダーの第１吐出口を閉鎖し、前記オーバーキャップを開けると作動部材が弾力的に元の位置に復元されると同時に、前記開閉部材が弾性部材の弾性によって上部に移動されてショルダーの第１吐出口を開放することを特徴とする、請求項１に記載のオーバーキャップによって吐出口が自動で開閉される化粧品容器。
【発明の詳細な説明】
【技術分野】
【０００１】
本発明は、オーバーキャップによって吐出口が自動で開閉される化粧品容器に関し、さらに詳細には、化粧料が収容される容器本体と前記容器本体を開閉するオーバーキャップからなる化粧品容器であって、前記容器本体の入口部に第１吐出口が形成されたショルダーを結合し、前記オーバーキャップによって水平に収縮される作動部材と前記作動部材によって垂直に移動されながらショルダーの第１吐出口を開閉する開閉部材を形成することで、オーバーキャップを閉めると前記オーバーキャップの内周面が作動部材をショルダー内方に押し、これと同時に前記作動部材が開閉部材を下側に押して前記開閉部材がショルダーの第１吐出口を自動で閉鎖させることによって、容器本体が容易に密閉されることはもとより、開閉部材の弾発力が作動部材を通じて水平に作用するようになり外部衝撃によってオーバーキャップが容易に分離されることを防止した、オーバーキャップによって吐出口が自動で開閉される化粧品容器に関する。
【背景技術】
【０００２】
化粧品は、人体の外観を美化させて容姿の欠点をカバーし、魅力的に見せたり、肌、毛髪などの健康を維持したりするために使用される物品である。
【０００３】
前記化粧品は、使用目的に応じて基礎化粧品、色調化粧品、機能性化粧品に分類され、その特性によって液状やゲル形態または固形や粉末の形態で製作され、多様な形態の化粧品容器に保存、使用される。
【０００４】
これにより、多様な種類の化粧料に対する容器の開発も必要になったが、一般的に液状またはゲル状化粧料は、使用性及び便宜性のためにチューブ容器に充填して使用時に使用者が手に取り出したり、化粧道具を利用したりして、肌に塗布する方式で使用された。
【０００５】
しかし、前記従来の化粧品容器を使用するためには化粧道具を別に備えなければならないため、化粧道具を失くしてしまう可能性が高く、また化粧道具を別に保管しなければならないため、携帯性が良くない問題点があった。
【０００６】
上記のような問題点を解決するために、図１に示されるように、韓国公開特許第１０−２０１６−００５３７００号が開示されたが、これは内容物が収容される本体と、前記本体上部に一体で形成されて一側に吐出口を備えたアプリケーターと、前記アプリケーターを覆い本体と結合されるオーバーキャップから構成された構造であって、本体の内容物を絞り出すと同時に、アプリケーターの吐出口から内容物が吐出されるものとして、アプリケーターを便利に使用することができるようにしたものであり、前記オーバーキャップを閉めた時に本体の内容物を密閉するために前記オーバーキャップ内側に形成された密閉棒が前記アプリケーターの吐出口に挿入されて前記吐出口を密閉する構造である。
【０００７】
しかし、前記従来技術は、オーバーキャップ内側に密閉棒が長く下側に延長されて形成されているものとして、前記密閉棒は、アプリケーターの吐出口に挿入中に折れるおそれがあり、前記密閉棒は、オーバーキャップ内側に形成されているため、吐出口に正確に挿入させ難い問題点があった。
【０００８】
上記のような問題点を解決するために、図２に示されるように、韓国登録特許第１０−０９１６６２６号が開示されたが、前記従来技術は、キャップを閉めるとショルダー内側の開閉棒が下降してパウダー吐出口を塞ぐためパウダーが吐出されず、キャップを開けると圧縮コイルバネの弾性によってショルダーの開閉棒が上昇してパウダー吐出口を開放しながらパウダーが吐出される構造である。
【０００９】
しかし、前記従来技術は、キャップを回転させて容器と結合する時、前記キャップによって押される伸縮部がキャップと共に回転されながらねじれて破損される問題点があった。
【００１０】
また、前記従来技術の容器とキャップがアンダーカット結合構造からなっており、圧縮コイルバネの弾発力で常にキャップを上部に押し出すようになり、これにより小さな外部衝撃にもかかわらず、前記キャップが容器から分離されて開放される問題点があった。
【００１１】
また、前記従来技術は、圧縮コイルバネが化粧道具を弾力支持した状態で化粧をするようになるので、化粧をする時、前記化粧道具が押されながら吐出口を塞ぐようになり、これにより化粧料を吐出させるのに邪魔になる問題点があった。
【発明の概要】
【発明が解決しようとする課題】
【００１２】
本発明は、上記のような問題点を解決するために案出されたもので、化粧料が収容される容器本体と前記容器本体を開閉するオーバーキャップからなる化粧品容器であって、前記容器本体の入口部に第１吐出口が形成されたショルダーを結合し、前記オーバーキャップによって水平に収縮される作動部材と前記作動部材によって垂直に移動されながらショルダーの第１吐出口を開閉する開閉部材を形成することで、オーバーキャップを閉めると前記オーバーキャップの内周面が作動部材をショルダー内方に押し、これと同時に前記作動部材が開閉部材を下側に押して前記開閉部材がショルダーの第１吐出口を自動で閉鎖させることによって、容器本体が容易に密閉されることはもとより、開閉部材の弾発力が作動部材を通じて水平に作用するようになり外部衝撃によってオーバーキャップが容易に分離されることを防止した、オーバーキャップによって吐出口が自動で開閉される化粧品容器を提供することに目的がある。
【００１３】
また、本発明は、容器本体に第１吐出口が形成されたショルダーを固定結合し、前記ショルダーに第２吐出口が形成された化粧道具を付着して前記第１吐出口と第２吐出口とが連結されるようにし、前記化粧道具がどの方向に押されても第１吐出口の開閉に影響を及ぼさないようにすることで、化粧道具を利用して化粧をする時、前記化粧道具によって干渉されずに容器本体内に収容された化粧料を外部に吐出させることができるため使用の便宜性を向上させた、オーバーキャップによって吐出口が自動で開閉される化粧品容器を提供することに目的がある。
【課題を解決するための手段】
【００１４】
本発明は、内部に化粧料が収容される容器本体と、
前記容器本体を開閉するオーバーキャップと、
前記容器本体に結合され、第１吐出口が形成されたショルダーと、
前記オーバーキャップによって水平に収縮される作動部材と、
前記作動部材によって垂直に移動されながらショルダーの第１吐出口を開閉する開閉部材と、
前記開閉部材を弾力支持する弾性部材と、を含むオーバーキャップによって吐出口が自動で開閉される化粧品容器を提供する。
【００１５】
また、前記オーバーキャップは、内側オーバーキャップと外側オーバーキャップから構成され、オーバーキャップを閉める時、前記内側オーバーキャップに形成された傾斜部が作動部材をショルダー内方に押して容器本体を密閉させることを特徴とする。
【００１６】
また、前記ショルダーには第２吐出口が形成された化粧道具が結合され、前記化粧道具の第２吐出口は、ショルダーの第１吐出口と連結されることを特徴とする。
【００１７】
また、前記ショルダーは、容器本体の入口部に結合される内側ショルダーと前記内側ショルダーの上部に結合される外側ショルダーから構成され、前記外側ショルダーの外周縁には押部貫通孔が形成されることを特徴とする。
【００１８】
また、前記作動部材は、両側に形成された水平押部と前記水平押部を外側に弾力支持する弾力支持部からなることを特徴とする。
【００１９】
また、前記開閉部材は、中央に形成された開閉部と前記開閉部外側に形成されて作動部材によって垂直に押される垂直押部からなることを特徴とする。
【００２０】
また、前記作動部材には第１傾斜部が形成され、前記開閉部材には傾斜溝が備えられた第２傾斜部が形成されて前記作動部材の第１傾斜部が開閉部材の傾斜溝に着座されることを特徴とする。
【００２１】
また、前記オーバーキャップを閉めるとオーバーキャップの内周面が作動部材をショルダー内側に押すようになると同時に、前記作動部材が開閉部材を下側に押して前記開閉部材がショルダーの第１吐出口を閉鎖し、前記オーバーキャップを開けると作動部材が弾力的に元の位置に復元されると同時に、前記開閉部材が弾性部材の弾性によって上部に移動されてショルダーの第１吐出口を開放することを特徴とする。
【発明の効果】
【００２２】
本発明に係るオーバーキャップによって吐出口が自動で開閉される化粧品容器は、容器本体の入口部に第１吐出口が形成されたショルダーを結合し、前記オーバーキャップによって水平に収縮される作動部材と前記作動部材によって垂直に移動されながらショルダーの第１吐出口を開閉する開閉部材を形成することで、オーバーキャップを閉めると前記オーバーキャップの内周面が作動部材をショルダー内方に押し、これと同時に前記作動部材が開閉部材を下側に押して前記開閉部材がショルダーの第１吐出口を自動で閉鎖させることによって、容器本体が容易に密閉されることはもとより、開閉部材の弾発力が作動部材を通じて水平に作用するようになり外部衝撃によってオーバーキャップが容易に分離されることを防止する効果がある。
【００２３】
また、本発明に係るオーバーキャップによって吐出口が自動で開閉される化粧品容器は、容器本体に第１吐出口が形成されたショルダーを固定結合し、前記ショルダーに第２吐出口が形成された化粧道具を付着して前記第１吐出口と第２吐出口とが連結されるようにし、前記化粧道具がどの方向に押されても第１吐出口の開閉に影響を及ぼさないようにすることで、化粧道具を利用して化粧をする時、前記化粧道具によって干渉されずに容器本体内に収容された化粧料を外部に吐出させることができるため使用の便宜性を向上させる効果がある。
【図面の簡単な説明】
【００２４】
【図１】従来のフレキシブルアプリケーターが備えられた容器である。
【図２】従来のパウダー吐出用化粧品ケースである。
【図３】本発明の一実施例に係る化粧品容器の斜視図である。
【図４】本発明の一実施例に係る化粧品容器の分解斜視図である。
【図５】本発明の一実施例に係る化粧品容器のＡ−Ａ断面図である。
【図６】本発明の一実施例に係る化粧品容器のＢ−Ｂ断面図である。
【図７】本発明の一実施例に係る化粧品容器のオーバーキャップを分離した形態を示したＡ−Ａ断面図である。
【図８】本発明の一実施例に係る化粧品容器の容器本体を加圧して化粧料を吐出させる形態を示したＢ−Ｂ断面図である。
【図９】本発明の一実施例に係る化粧品容器の化粧道具を利用して化粧をする形態を示した斜視図である。
【発明を実施するための形態】
【００２５】
本発明と本発明の実施によって達成される技術的課題は、次で説明する好ましい実施例によって明確になる。以下、添付の図面を参照して本発明によるオーバーキャップによって吐出口が自動で開閉される化粧品容器の一実施例を詳細に考察すると次のとおりである。
【００２６】
図３は本発明の一実施例に係る化粧品容器の斜視図であり、図４は本発明の一実施例に係る化粧品容器の分解斜視図であり、図５は本発明の一実施例に係る化粧品容器のＡ−Ａ断面図であり、図６は本発明の一実施例に係る化粧品容器のＢ−Ｂ断面図である。
【００２７】
本発明の一実施例に係るオーバーキャップによって吐出口が自動で開閉される化粧品容器は、内部に化粧料が収容される容器本体１０と、前記容器本体１０を開閉するオーバーキャップ２０と、前記容器本体１０に結合され、第１吐出口３２２が形成されたショルダー３０と、前記オーバーキャップ２０によって水平に収縮される作動部材４０と、前記作動部材４０によって垂直に移動されながらショルダー３０の第１吐出口３２２を開閉する開閉部材５０と、前記開閉部材５０を弾力支持する弾性部材６０と、を含む。
【００２８】
前記容器本体１０内部にはゲル状または液状化粧料が収容され、図４に示されるように、上部には入口部１２が形成され、前記入口部１２の外周縁には結合環溝１２２が形成されてショルダー３０が結合される。
【００２９】
前記容器本体１０は、使用者が押した時、形態が変形されながら化粧料を外部に吐出させることができるように軟質のチューブ容器で形成されることが好ましい。
【００３０】
前記オーバーキャップ２０は、図３と図５に示されるように、容器本体１０の上部に着脱されながら化粧道具７０を外部に露出させたり隠したりするようになる。
【００３１】
前記オーバーキャップ２０は、図４に示されるように、内側オーバーキャップ２２と外側オーバーキャップ２４から構成される。
【００３２】
前記内側オーバーキャップ２２の下部には傾斜部２２１が形成される。前記傾斜部２２１は、オーバーキャップ２０を閉める時、作動部材４０をショルダー３０内方に押して容器本体１０を密閉させるようになる。すなわち、前記内側オーバーキャップ２２の傾斜部２２１は、オーバーキャップ２０を閉める時、作動部材４０の水平押部４２外周縁をスムーズにショルダー３０内方に押して密閉構造を作動させる。
【００３３】
前記内側オーバーキャップ２２の内側には、図６に示されるように、密閉部２２２が形成され、前記密閉部２２２の中央には化粧道具７０と対応される密閉溝２２４が形成され、オーバーキャップ２０を閉める時、前記密閉溝２２４に化粧道具７０が挿入される。
【００３４】
前記内側オーバーキャップ２２の密閉溝２２４入口両側面は、化粧道具７０が容易に挿入されることができるようにラウンド形態で形成されることが好ましい。
【００３５】
前記内側オーバーキャップ２２は、軟質の材質で形成され、特に弾性を有するポリプロピレン（ｐｏｌｙｐｒｏｐｙｌｅｎｅ）またはポリエチレン（ｐｏｌｙｅｔｈｙｌｅｎｅ）材質で形成されることが好ましい。
【００３６】
図６に示されるように、オーバーキャップ２０が容器本体１０の上部に結合される時、前記内側オーバーキャップ２２の密閉溝２２４内側にフレキシブルな材質の化粧道具７０が挿入されながら密閉部２２２が化粧道具７０外周面に堅固に密着されて前記化粧道具７０の第２吐出口７２を塞ぐようになり、これにより容器本体１０の密閉力がより向上される。
【００３７】
前記オーバーキャップ２０の外側オーバーキャップ２４の内周縁には離脱防止突起２４２が形成されて外側オーバーキャップ２４の内部に結合された内側オーバーキャップ２２が離脱されることを防止して、前記離脱防止突起２４２の下部には締結環溝２４４が形成されてショルダー３０と結合される。
【００３８】
前記ショルダー３０は、図５に示されるように、容器本体１０の入口部１２を覆いながら結合される。
【００３９】
前記ショルダー３０は、図４に示されるように、容器本体１０の入口部１２に結合される内側ショルダー３２と前記内側ショルダー３２の上部に結合される外側ショルダー３４から構成される。
【００４０】
前記ショルダー３０の内側ショルダー３２の中央には開閉棒３２１が上部に突出形成され、前記開閉棒３２１の外側には容器本体１０の内部と連結される第１吐出口３２２が形成される。
【００４１】
前記開閉棒３２１の上部外周縁には、図５の部分拡大図面に示されるように、吐出溝３２１ａが形成される。
【００４２】
前記開閉棒３２１の外側に一定の間隔で離隔されて上部内壁３２３が上側に延長形成され、前記上部内壁３２３の外側には弾性部材６０が設置される弾性部材挿入空間３２４が形成される。
【００４３】
前記弾性部材挿入空間３２４の外側には、図５に示されるように、下部内壁３２５が下側に延長形成され、前記下部内壁３２５の内周縁には結合突輪３２６が内側に突出形成されて容器本体１０の結合環溝１２２と結合される。
【００４４】
前記下部内壁３２５の外側に一定の間隔で離隔されて下部外壁３２７が下側に延長形成され、前記下部外壁３２７の外側に一定の間隔で離隔されて締結部３２８が形成されるが、前記締結部３２８の外周縁には締結突輪３２９が外側に突出形成されてオーバーキャップ２０の締結環溝２４４と結合される。
【００４５】
前記内側ショルダー３２の下部内壁３２５の外側には開閉部材５０の垂直移動を案内するガイド孔３６が形成される。
【００４６】
前記ショルダー３０の外側ショルダー３４は、図５と図６に示されるように、内側ショルダー３２の上部を覆いながら結合される。
【００４７】
前記外側ショルダー３４の下部には結合部３４１が形成されて前記内側ショルダー３２の下部外壁３２７と締結部３２８との間に挿入されながら結合される。
【００４８】
前記外側ショルダー３４の外周縁には、図４に示されるように、作動部材４０の水平押部４２をショルダー３０外側に露出させる一対の押部貫通孔３４２が形成される。
【００４９】
図５に示されるように、前記外側ショルダー３４の中央上部には上部延長突輪３４３が上側に延長形成されて化粧道具７０と嵌め合わされ、中央下部には下部延長突輪３４５が下側に延長形成されて作動部材４０を貫通しながら開閉部材５０と嵌め合わされる。
【００５０】
前記外側ショルダー３４の上部内側には嵌合突輪３４４が内側に突出形成されて化粧道具７０の嵌合突起７４と結合される。
【００５１】
前記作動部材４０は、オーバーキャップ２０が閉められる時、内側オーバーキャップ２２の傾斜部２２１によって水平に押されながらショルダー３０内方に収縮される。
【００５２】
前記作動部材４０は、図４に示されるように、両側に形成された水平押部４２と前記水平押部４２を外側に弾力支持する弾力支持部４４からなる。
【００５３】
前記水平押部４２は、一対で形成されて互いに対向して配置される。前記水平押部４２の外周面は、内側オーバーキャップ２２の傾斜部２２１によって容易に押されることができるように緩い曲面形態で形成されることが好ましい。
【００５４】
前記水平押部４２の内側下部には第１傾斜部４２２が形成されるが、前記第１傾斜部４２２は下部に向かうほど外側に傾斜した形態であり、開閉部材５０の第２傾斜部５４２に形成された傾斜溝５４４に着座されている。
【００５５】
前記弾力支持部４４は、水平押部４２内方に形成されて前記水平押部４２を水平に弾力支持するようになる。
【００５６】
前記弾力支持部４４は、弾性力を有するようにするため、図４に示されるように、一対の屈曲した形態で形成されて互いに対向して形成されることが好ましい。
【００５７】
前記弾力支持部４４の中央には貫通孔４６が形成されるが、前記貫通孔４６には外側ショルダー３４の下部延長突輪３４５と開閉部材５０の第１、２上部延長突輪５２１、５２２が貫通される。
【００５８】
前記開閉部材５０は、作動部材４０によって垂直に移動されながらショルダー３０の第１吐出口３２２を開閉する。
【００５９】
前記開閉部材５０は、図４に示されるように、中央に形成された開閉部５２と前記開閉部５２外側に形成されて作動部材４０によって垂直に押される垂直押部５４からなる。
【００６０】
前記開閉部５２の中央上部には第１上部延長突輪５２１が上側に延長形成され、前記第１上部延長突輪５２１の外側に一定の間隔で離隔されて第２上部延長突輪５２２が上側に延長形成される。前記第１、２上部延長突輪５２１、５２２の間には外側ショルダー３４の下部延長突輪３４５が挿入される。
【００６１】
前記開閉部５２の中央下部には開閉突輪５２４が下側に延長形成されるが、前記開閉突輪５２４は、図５の部分拡大図面に示されるように、内側ショルダー３２の開閉棒３２１と上部内壁３２３との間に挿入され、前記開閉突輪５２４の内周縁は開閉棒３２１の外周縁と密着され、外周縁は上部内壁３２３の内周縁と密着される。
【００６２】
すなわち、前記開閉突輪５２４が下側に移動すると、図５の部分拡大図面に示されるように、開閉棒３２１の外周縁を覆いながら吐出溝３２１ａを塞いで第１吐出口３２２を遮断するようになり、前記開閉突輪５２４が上側に移動すると、図７の部分拡大図面に示されるように、開閉突輪５２４の下端が開閉棒３２１の吐出溝３２１ａ上側に位置されて前記吐出溝３２１ａが開かれるようになり、これにより内側ショルダー３２の第１吐出口３２２が開放される。
【００６３】
上述したように、前記開閉突輪５２４が開閉棒３２１と上部内壁３２３との間、すなわち、第１吐出口３２２の上部に位置され、上下に移動されながら第１吐出口３２２を開放または遮断するようになる。
【００６４】
前記開閉部５２の第１上部延長突輪５２１と開閉突輪５２４の内方には第１吐出流路５１が形成されて容器本体１０に収容された化粧料を第１吐出口３２２から第２吐出流路７３を経て第２吐出口７２に移動させる通路の役割をするようになる。
【００６５】
前記垂直押部５４は、開閉部５２の両側に一対で形成されて互いに対向して配置される。
【００６６】
前記垂直押部５４の上部には作動部材４０の第１傾斜部４２２と対応される第２傾斜部５４２が形成され、前記第２傾斜部５４２には傾斜溝５４４が形成されて第１傾斜部４２２が着座される。
【００６７】
前記垂直押部５４の第２傾斜部５４２下部には下部延長片５４６が下側に延長形成されるが、前記下部延長片５４６は、図５に示されるように、内側ショルダー３２に形成されたガイド孔３６を貫通する。
【００６８】
上記のような構成を通じて、図５に示されるように、オーバーキャップ２０を閉めると、内側オーバーキャップ２２の傾斜部２２１が作動部材４０をショルダー３０内側に押すようになると同時に、前記作動部材４０が開閉部材５０を下側に押すようになることによって、前記開閉部材５０が内側ショルダー３２の吐出溝３２１ａを塞いで第１吐出口３２２を閉鎖し、図７に示されるように、オーバーキャップ２０を開けると作動部材４０が弾力的に元の位置に復元されると同時に、前記開閉部材５０が弾性部材６０の弾性によって上部に移動されることによって、前記開閉部材５０が内側ショルダー３２の吐出溝３２１ａを開いて第１吐出口３２２を開放する。
【００６９】
前記弾性部材６０は、ショルダー３０内側に設置されて開閉部材５０を弾力支持する。
【００７０】
前記弾性部材６０の下部は、内側ショルダー３２の弾性部材挿入空間３２４に挿入され、上部は開閉部材５０の下部面に密着される。
【００７１】
すなわち、前記弾性部材６０は、オーバーキャップ２０を開いた時、図７に示されるように、前記オーバーキャップ２０によって収縮されていた作動部材４０と、前記作動部材４０によって下部に押されていた開閉部材５０を再び元の位置に移動させる役割をするようになる。
【００７２】
前記ショルダー３０の上部には使用者が化粧をする時、便利に使用することができるように化粧道具７０が結合される。
【００７３】
前記化粧道具７０は、容器本体１０内部に収容された化粧料を外部に吐出させる第２吐出口７２が形成され、前記第２吐出口７２は、図５に示されるように、化粧道具７０の一側面に形成される。
【００７４】
前記化粧道具７０の内部には、図６に示されるように、第２吐出流路７３が形成されるが、前記第２吐出流路７３は、開閉部材５０の第１吐出流路５１と連結されて化粧料を第２吐出口７２に移動させる役割をする。
【００７５】
前記化粧道具７０の外周面には、図５に示されるように、嵌合突起７４が形成されて外側ショルダー３４の嵌合突輪３４４とアンダーカット結合される。
【００７６】
前記化粧道具７０は、内容物を肌に広く伸ばして塗ることができるように、幅広の板状に形成されることが好ましい。
【００７７】
また、前記化粧道具７０は、柔軟に曲がることができるように、フレキシブルな材質で形成され、特にシリコーン（ｓｉｌｉｃｏｎｅ）、ウレタンゴム（ｕｒｅｔｈａｎｅ  ｒｕｂｂｅｒ）、天然ゴム（ｎａｔｕｒａｌ  ｒｕｂｂｅｒ）、エラストマー（ｅｌａｓｔｏｍｅｒ）、ＮＢＲ（ｎｉｔｒｉｌｅ−ｂｕｔａｄｉｅｎｅ  ｒｕｂｂｅｒ）、ＡＢＳ（Ａｃｒｙｌｏｎｉｔｒｉｌｅ  Ｂｕｔａｄｉｅｎｅ  Ｓｔｙｒｅｎｅ）またはＴＰＥ（Ｔｈｅｒｍｏ  Ｐｌａｓｔｉｃ  Ｅｌａｓｔｏｍｅｒ）のうちいずれか一つ以上の材質で形成されることが好ましい。
【００７８】
上記のように構成されたオーバーキャップによって吐出口が自動で開閉される化粧品容器の組立方法を説明すると次のとおりである。
【００７９】
本発明に係るオーバーキャップによって吐出口が自動で開閉される化粧品容器を組み立てるためには、図４と図５に示されるように、容器本体１０の内部に化粧料を充填する。
【００８０】
次に、前記容器本体１０の入口部１２に内側ショルダー３２を結合し、前記内側ショルダー３２の下部内壁３２５が容器本体１０の入口部１２を覆いながら、容器本体１０の結合環溝１２２と内側ショルダー３２の結合突輪３２６が結合されるようにする。
【００８１】
次に、前記内側ショルダー３２の上部に開閉部材５０を挿入するが、前記開閉部材５０の開閉突輪５２４が内側ショルダー３２の開閉棒３２１と上部内壁３２３との間に挿入されるようにする。
【００８２】
次に、前記開閉部材５０の上部に作動部材４０を着座させるが、前記開閉部材５０の傾斜溝５４４に作動部材４０の第１傾斜部４２２が挿入されるようにする。
【００８３】
次に、前記内側ショルダー３２の上部に外側ショルダー３４を結合し、前記外側ショルダー３４が作動部材４０と開閉部材５０及び内側ショルダー３２を覆いながら前記外側ショルダー３４の結合部３４１が内側ショルダー３２の下部外壁３２７と締結部３２８との間に挿入されて結合されるようにする。
【００８４】
この時、前記外側ショルダー３４の下部延長突輪３４５が作動部材４０の貫通孔４６を貫通しながら開閉部材５０の第１、２上部延長突輪５２１、５２２の間に嵌められ、前記作動部材４０の水平押部４２が外側ショルダー３４の押部貫通孔３４２を貫通して外部に露出される。
【００８５】
次に、前記外側ショルダー３４の上部に化粧道具７０を結合し、前記外側ショルダー３４の嵌合突輪３４４が化粧道具７０の嵌合突起７４とアンダーカット結合されるようにする。
【００８６】
最後に、前記容器本体１０の上部にオーバーキャップ２０を結合して本発明に係るオーバーキャップによって吐出口が自動で開閉される化粧品容器の組立を完了する。
【００８７】
上記のような方法で組み立てられたオーバーキャップによって吐出口が自動で開閉される化粧品容器の使用は次のとおりである。
【００８８】
図７は本発明の一実施例に係る化粧品容器のオーバーキャップを分離した形態を示したＡ−Ａ断面図であり、図８は本発明の一実施例に係る化粧品容器の容器本体を加圧して化粧料を吐出させる形態を示したＢ−Ｂ断面図であり、図９は本発明の一実施例に係る化粧品容器の化粧道具を利用して化粧をする形態を示した斜視図である。
【００８９】
本発明に係るオーバーキャップによって吐出口が自動で開閉される化粧品容器を使用するためには、まず図７に示されるように、容器本体１０からオーバーキャップ２０を分離する。
【００９０】
上記のように、オーバーキャップ２０を分離すると、内側オーバーキャップ２２によって押されて収縮されていた作動部材４０の水平押部４２が弾力支持部４４の弾性力によって元の位置、すなわち、ショルダー３０の外側に拡張されて外部に露出され、これと同時に開閉部材５０が弾性部材６０の弾性によって上部に移動される。
【００９１】
これと共に、前記開閉部材５０の開閉突輪５２４が内側ショルダー３２の開閉棒３２１と上部内壁３２３との間で上部に移動されることによって、内側ショルダー３２の開閉棒３２１に形成された吐出溝３２１ａが開かれながら前記内側ショルダー３２の第１吐出口３２２が開放される。
【００９２】
すなわち、図５の部分拡大図面で示されるように、前記開閉突輪５２４が開閉棒３２１の吐出溝３２１ａを覆いながら塞いでいたが、開閉部材５０が上部に移動されながら図７の部分拡大図面に示されるように、前記開閉突輪５２４の下端が開閉棒３２１の吐出溝３２１ａ上側に位置され、前記吐出溝３２１ａが開かれて内側ショルダー３２の第１吐出口３２２が開放される。
【００９３】
その後、図８に示されるように、容器本体１０の側面を加圧すると、前記容器本体１０の内部に収容された化粧料が内側ショルダー３２の第１吐出口３２２と吐出溝３２１ａ、開閉部材５０の第１吐出流路５１及び化粧道具７０の第２吐出流路７３を順に経ながら第２吐出口７２に吐出される。
【００９４】
その後、図９に示されるように、前記化粧道具７０を肌につけて吐出された化粧料を肌に塗りながら化粧をする。
【００９５】
化粧が終わった後には、前記容器本体１０の上部にオーバーキャップ２０を結合して保管または携帯するようになる。
【００９６】
上記のように、オーバーキャップ２０を結合すると、図５に示されるように、オーバーキャップ２０の内側オーバーキャップ２２の傾斜部２２１が作動部材４０の水平押部４２を外側ショルダー３４内方に押して前記作動部材４０の弾力支持部４４が曲がりながら前記水平押部４２を収縮させるようになると同時に、前記作動部材４０の水平押部４２下部に形成された第１傾斜部４２２が開閉部材５０の第２傾斜部５４２を下側に押すようになる。
【００９７】
これと共に、前記開閉部材５０の開閉突輪５２４が内側ショルダー３２の開閉棒３２１と上部内壁３２３との間で下部に移動されることによって、内側ショルダー３２の開閉棒３２１に形成された吐出溝３２１ａが塞がれながら前記内側ショルダー３２の第１吐出口３２２が閉鎖される。
【００９８】
すなわち、図７の部分拡大図面に示されるように、前記開閉突輪５２４の下端が開閉棒３２１の吐出溝３２１ａ上側に位置されて内側ショルダー３２の開閉棒３２１に形成された吐出溝３２１ａと第１吐出口３２２が開放されていたが、前記開閉部材５０が下部に移動されながら図５の部分拡大図面で示されるように、前記開閉突輪５２４が開閉棒３２１を覆いながら前記開閉棒３２１に形成された吐出溝３２１ａを塞いで前記内側ショルダー３２の第１吐出口３２２を閉鎖する。
【００９９】
これにより、本発明の一実施例に係るオーバーキャップによって吐出口が自動で開閉される化粧品容器の使用を完了する。
【０１００】
以上、本発明で説明したことはオーバーキャップによって吐出口が自動で開閉される化粧品容器を実施するための一つの実施例に過ぎず、本発明は上記実施例に限定されるものではない。添付の請求の範囲で請求するように、本発明の要旨を逸脱することなく当該発明が属する分野で通常の知識を有する者であれば何人も多様な変更実施が可能な範囲まで本発明の範囲に属するものとみなされなければならない。
【符号の説明】
【０１０１】
１０  容器本体
１２  入口部
２０  オーバーキャップ
２２  内側オーバーキャップ
２４  外側オーバーキャップ
３０  ショルダー
３２  内側ショルダー
３４  外側ショルダー
４０  作動部材
４２  水平押部
４４  弾力支持部
５０  開閉部材
５１  第１吐出流路
５２  開閉部
５４  垂直押部
６０  弾性部材
７０  化粧道具
７２  第２吐出口
７３  第２流通路
２２１  傾斜部
２２２  密閉部
３２１  開閉棒
３２２  第１吐出口
４２２  第１傾斜部
５２４  開閉突輪
５４２  第２傾斜部
【図１】
2021502166.tif 000003
【図２】
2021502166.tif 000004
【図３】
2021502166.tif 000005
【図４】
2021502166.tif 000006
【図５】
2021502166.tif 000007
【図６】
2021502166.tif 000008
【図７】
2021502166.tif 000009
【図８】
2021502166.tif 000010
【図９】
2021502166.tif 000011
【国際調査報告】
2021502166.tif 000012
2021502166.tif 000013
2021502166.tif 000014
2021502166.tif 000015